(57)【要約】【課題】３Ｄ映像の提供が可能な他の表示装置が近傍に設置してある場合においても、適切な３Ｄ映像表示を実現する表示装置およびその表示装置を用いたテレビジョン受信機の提供を目的とする。【解決手段】本発明に係る表示装置は、表示装置の設置環境を考慮して、表示装置から外部へ送信する同期信号の送信範囲を変更する。所定の設置環境であると判断した場合、同期信号の送信範囲を制限する。所定の設置環境であると判断しなかった場合、同期信号の送信範囲を制限しない。【選択図】図４
2013191994.tif 000002
【特許請求の範囲】
【請求項１】
映像を表示する表示装置において、
表示された前記映像に同期するための同期信号を外部に送信する送信部と、
前記送信部による同期信号の送信範囲を制限する送信範囲制限部と、
前記表示装置の設置環境が第１環境であるか該第１環境ではない第２環境であるか判別する判別部とを備え、
前記判別部が前記第１環境であると判別した場合、前記送信範囲制限部は前記送信部による同期信号の送信範囲を制限し、
前記判別部が前記第２環境であると判別した場合、前記送信範囲制限部は前記送信部による同期信号の送信範囲を制限しない
ことを特徴とする表示装置。
【請求項２】
前記映像を表示する表示部を備え、
前記送信部が送信する同期信号は、前記表示部が表示する映像と、右目用シャッタ及び左目用シャッタを有する３Ｄ眼鏡のシャッタ開閉とを同期させる信号であり、
前記映像の表示は、交互に示される左目用映像と右目用映像とにより構成してある
ことを特徴とする請求項１に記載の表示装置。
【請求項３】
情報を有するカードを挿入する挿入部をさらに備え、
前記判別部は、前記挿入部に挿入されたカードの情報に基づいて、前記表示装置の設置環境が前記第１環境であるか否か判別する
ことを特徴とする請求項１又は２に記載の表示装置。
【請求項４】
前記送信部は、供給される電力を用いて前記同期信号を外部に送信し、
前記判別部が前記第１環境であると判別した場合、前記送信範囲制限部は前記送信部に供給する電力を、前記判別部が前記第１環境であると判別しなかった場合に供給する電力よりも減少する
ことを特徴とする請求項１から３のいずれか一つに記載の表示装置。
【請求項５】
前記送信部は、電力で駆動する複数の発光体で構成してあり、
前記判別部が前記第１環境であると判別した場合、前記送信範囲制限部は、電力が供給される発光体の数を前記判別部が前記第１環境であると判別しなかった場合の発光体の数よりも減少する
ことを特徴とする請求項１から３のいずれか一つに記載の表示装置。
【請求項６】
透過率が変化するフィルタを更に備え、
該フィルタは、前記送信部と前記外部との間に配置してあり、
前記判別部が前記第１環境であると判別した場合、前記送信範囲制限部は、前記フィルタの透過率を前記判別部が前記第１環境であると判別しなかった場合の透過率よりも減少する
ことを特徴とする請求項１から３のいずれか一つに記載の表示装置。
【請求項７】
開口部を有し、該開口部の開口面積が変化する窓部を更に備え、
該窓部は、前記送信部と前記外部との間に配置してあり、
前記判別部が前記第１環境であると判別した場合、前記送信範囲制限部は、前記開口部の開口面積を前記判別部が前記第１環境であると判別した場合の開口面積よりも減少する
ことを特徴とする請求項１から３のいずれか一つに記載の表示装置。
【請求項８】
前記送信部は、広範囲に同期信号を送信する広範囲発光体と狭範囲に同期信号を送信する狭範囲発光体とからなり電力で駆動する複数の発光体で構成してあり、
前記判別部が前記第１環境であると判別した場合、前記送信範囲制限部は、前記広範囲発光体へ供給する電力を前記判別部が前記第１環境であると判別しなかった場合の電力よりも減少する
ことを特徴とする請求項１から３のいずれか一つに記載の表示装置。
【請求項９】
前記広範囲は前記狭範囲よりも、前記送信部から前記外部への方向に垂直な方向に対する範囲が広い
ことを特徴とする請求項８に記載の表示装置。
【請求項１０】
広範囲に同期信号を送信する他の広範囲発光体を更に備え、
前記広範囲発光体、前記狭範囲発光体、及び前記他の広範囲発光体の送信方向は同一であり、
前記狭範囲発光体は、前記広範囲発光体と前記他の広範囲発光体との間に配置してある
ことを特徴とする請求項８または９に記載の表示装置。
【請求項１１】
請求項１から９のいずれか一つに記載の表示装置と、
テレビジョン放送を受信する受信部と
を備え、
前記受信部にて受信したテレビジョン放送に基づいて、前記表示装置が映像を表示する
ことを特徴とするテレビジョン受信機。
【発明の詳細な説明】
【技術分野】
【０００１】
本発明は、３Ｄ映像を提供できる表示装置およびその表示装置を用いたテレビジョン受信機に関する。
【背景技術】
【０００２】
近年、液晶テレビ、プラズマテレビ、有機ＥＬテレビなどの表示装置における３Ｄ化が進んでいる。ユーザに３Ｄ映像を享受させるため、右目用及び左目用の映像を交互に表示することができる表示装置と、表示された右目用及び左目用の映像夫々を選択的に透過させる右目用シャッタ及び左目用シャッタを有する３Ｄ眼鏡とを備える表示システムが製品化されている（特許文献１）。
【０００３】
この表示システムでは、３Ｄ映像の提供にあたり、表示装置における右目用及び左目用映像の表示と３Ｄ眼鏡における右目用及び左目用シャッタの開閉とを同期させる必要がある。つまり、表示装置が右目用映像を表示している間には３Ｄ眼鏡が右目用シャッタを開け、表示装置が左目用映像を表示している間には３Ｄ眼鏡が左目用シャッタを開ける必要がある。
【０００４】
表示装置は同期信号を外部に送信し、送信された同期信号を３Ｄ眼鏡が受信する。この送受信により表示装置の映像表示と３Ｄ眼鏡のシャッタ開閉とが同期する。その結果、ユーザの右目には右目用の映像が映り、ユーザの左目には左目の映像が映ることになり、ユーザへの３Ｄ映像提供が可能となる。
【０００５】
ユーザが表示装置を利用している位置に依存せずに適切な３Ｄ映像を提供するために、表示装置は、前方および左右の比較的広範囲に同期信号を送信するように設定してある。
【先行技術文献】
【特許文献】
【０００６】
【特許文献１】特開２０１１−２５２９６０号公報
【発明の概要】
【発明が解決しようとする課題】
【０００７】
上述の表示装置は、家庭内で使用されるだけでなく、量販店、展示会、およびショー会場などの家庭外でも使用され得る。このような家庭外環境では、上述の表示装置を複数設置する事態も多々ある。
【０００８】
３Ｄ映像の提供が可能な一つの表示装置の近傍に３Ｄ映像の提供が可能な他の表示装置が設置してある場合、一つの表示装置から外部に送信された同期信号が、他の表示装置用の３Ｄ眼鏡に受信される事態が想定される。例えば、３Ｄ映像提供可能な２台の表示装置が左右に並設してあり、２人のユーザがそれぞれの表示装置の正面で視聴している場合、一つの表示装置から左右の広範囲に放出された同期信号が、他の表示装置を視聴しているユーザの３Ｄ眼鏡に誤って受信される事態が考えられる。また、一つの表示装置から外部に送信された同期信号が、他の表示装置から外部に送信された同期信号に対して干渉を引き起こし、他の表示装置用の３Ｄ眼鏡に誤作動を誘発する事態も想定される。これらの場合、ユーザが利用している３Ｄ眼鏡のシャッタ開閉とそのユーザが利用している表示装置の映像表示とが適切に同期せず、所望の３Ｄ映像をユーザに提供することができない。
【０００９】
本発明は斯かる事情に鑑みてなされたものであって、３Ｄ映像の提供が可能な他の表示装置が近傍に設置してある場合においても、適切な３Ｄ映像表示を実現する表示装置およびテレビジョン受信機の提供を目的とする。
【課題を解決するための手段】
【００１０】
本発明に係る表示装置は、映像を表示する表示装置において、表示された前記映像に同期するための同期信号を外部に送信する送信部と、前記送信部による同期信号の送信範囲を制限する送信範囲制限部と、前記表示装置の設置環境が第１環境であるか該第１環境ではない第２環境であるか判別する判別部とを備え、前記判別部が前記第１環境であると判別した場合、前記送信範囲制限部は前記送信部による同期信号の送信範囲を制限し、前記判別部が前記第２環境であると判別した場合、前記送信範囲制限部は前記送信部による同期信号の送信範囲を制限しないことを特徴とする。
【００１１】
上述の表示装置では、近傍に他の表示装置が配置してあるか否かに基づいて、外部に送信する同期信号の送信範囲を変更することが可能となる。
【００１２】
また本発明に係る表示装置は、前記映像を表示する表示部を備え、前記送信部が送信する同期信号が、前記表示部が表示する映像と、右目用シャッタ及び左目用シャッタを有する３Ｄ眼鏡のシャッタ開閉とを同期させる信号であり、前記映像の表示が、交互に示される左目用映像と右目用映像とにより構成してあることを特徴とする。
【００１３】
上述の表示装置では、近傍に他の３Ｄ映像対応表示装置が配置してあるか否かに基づいて、３Ｄ眼鏡に送信する同期信号の送信範囲を変更することが可能となる。
【００１４】
また本発明に係る表示装置は、情報を有するカードを挿入する挿入部をさらに備え、前記判別部は、前記挿入部に挿入されたカードの情報に基づいて、前記表示装置の設置環境が前記第１環境であるか否か判別することを特徴とする。
【００１５】
上述の表示装置では、表示装置に挿入されるカードの情報に基づいて、表示装置の設置環境を判別することが可能となる。挿入されるカードの一例として、公知のデジタル放送管理方法で利用されるコンディショナルアクセスシステムカード（ＣＡＳカード）の利用が可能である。
【００１６】
また本発明に係る表示装置は、前記送信部は、供給される電力を用いて前記同期信号を外部に送信し、前記判別部が前記第１環境であると判別した場合、前記送信範囲制限部は前記送信部に供給する電力を、前記判別部が前記第１環境であると判別しなかった場合に供給する電力よりも減少することを特徴とする。
【００１７】
上述の表示装置では、送信部への供給電力の変更を利用して、同期信号の送信範囲を変更することが可能となる。
【００１８】
本発明に係る表示装置は、前記送信部は、電力で駆動する複数の発光体で構成してあり、前記判別部が前記第１環境であると判別した場合、前記送信範囲制限部は、電力が供給される発光体の数を前記判別部が前記第１環境であると判別しなかった場合の発光体の数よりも減少することを特徴とする。
【００１９】
上述の表示装置では、同期信号を送信する発光体の数の増減を利用して、同期信号の送信範囲を変更することが可能となる。同期信号を送信する発光体の一例として、赤外線信号（ＩＲ信号）を送信する発光ダイオード（ＬＥＤ）の利用が可能である。
【００２０】
本発明に係る表示装置は、透過率が変化するフィルタを更に備え、該フィルタは、前記送信部と前記外部との間に配置してあり、前記判別部が前記第１環境であると判別した場合、前記送信範囲制限部は、前記フィルタの透過率を前記判別部が前記第１環境であると判別しなかった場合の透過率よりも減少することを特徴とする。
【００２１】
上述の表示装置では、送信部の送信方向前方に配置したフィルタの透過率の変更を利用して、同期信号の送信範囲を変更することが可能となる。透過率が変更されるフィルタの一例として、電気的操作により透過率が変化する従来の液晶フィルタの利用が可能である。  
【００２２】
本発明に係る表示装置は、開口部を有し、該開口部の開口面積が変化する窓部を更に備え、該窓部は、前記送信部と前記外部との間に配置してあり、前記判別部が前記第１環境であると判別した場合、前記送信範囲制限部は、前記開口部の開口面積を前記判別部が前記第１環境であると判別した場合の開口面積よりも減少することを特徴とする。
【００２３】
上述の表示装置では、送信部の送信方向前方に配置した窓部の開口面積を変更することにより、同期信号の送信範囲を変更することが可能となる。開口面積が変化する窓部の一例として、電気的操作により開口面積が変化する従来カメラの絞り機構の利用が可能である。
【００２４】
本発明に係る表示装置は、前記送信部が、広範囲に同期信号を送信する広範囲発光体と狭範囲に同期信号を送信する狭範囲発光体とからなり電力で駆動する複数の発光体で構成してあり、前記判別部が前記第１環境であると判別した場合、前記送信範囲制限部は、前記広範囲発光体へ供給する電力を前記判別部が前記第１環境であると判別しなかった場合の電力よりも減少することを特徴とする。
【００２５】
上述の表示装置では、同期信号を送信する発光体の種類の変更を利用して、同期信号の送信範囲を変更することが可能となる。
【００２６】
本発明に係る表示装置は、前記広範囲が前記狭範囲よりも、前記送信部から前記外部への方向に垂直な方向に対する範囲が広いことを特徴とする。
【００２７】
上述の表示装置では、同期信号の送信方向である前方向とは垂直な横方向へ同期信号が送信されることを制限可能となる。
【００２８】
本発明に係る表示装置は、広範囲に同期信号を送信する他の広範囲発光体を更に備え、前記広範囲発光体、前記狭範囲発光体、及び前記他の広範囲発光体の送信方向は同一であり、前記狭範囲発光体は、前記広範囲発光体と前記他の広範囲発光体との間に配置してあることを特徴とする。
【００２９】
上述の表示装置では、少ない発光体にもかかわらず、送信範囲の変更量を大きくすることが可能となる。
【００３０】
本発明に係るテレビジョン受信機は、上述の表示装置と、テレビジョン放送を受信する受信部とを備え、前記受信部にて受信したテレビジョン放送に基づいて、前記表示装置が映像を表示することを特徴とする。
【００３１】
上述のテレビジョン受信機は、表示を行う他の装置が近傍に配置してあるか否かに基づいて、外部に送信する同期信号の送信範囲を変更することが可能となる。
【発明の効果】
【００３２】
本発明にあっては、表示装置が設置されている環境を考慮し、表示装置から送信される同期信号の送信範囲を変更する。したがって、近傍に他の表示装置が存在している場合には同期信号の送信範囲を狭めることにより、表示装置から外部に送信した同期信号が他の表示装置の３Ｄ眼鏡に誤って受信される事態を防止する効果が期待できる。また、近傍に他の表示装置が存在していない場合には同期信号の送信範囲を狭めないことにより、同期信号の受信可能な範囲を広く確保する効果が期待できる。つまり、家庭内だけでなく、量販店、展示会、およびショー会場などの家庭外での使用する場合においても、一台の表示装置を用いて適切な３Ｄ映像をユーザに提供し得る効果が期待できる。
【図面の簡単な説明】
【００３３】
【図１】３Ｄ眼鏡と表示装置とからなる表示システムの一構成例を示した模式図である。
【図２】表示装置の一構成例を示したブロック図である。
【図３】３Ｄ眼鏡の一構成例を示したブロック図である。
【図４】設置環境判断に係る処理手順を示したフローチャートである。
【図５】制御部による同期信号送信の制限を示す模式図である。
【図６】制御部による制限の他の構成例を示す模式図である。
【図７】制御部による制限の他の構成例を示す模式図である。
【図８】制御部による制限の他の構成例を示す模式図である。
【図９】制御部による制限の他の構成例を示す模式図である。
【図１０】制御部による制限の他の構成例を示す模式図である。
【発明を実施するための形態】
【００３４】
以下、本発明をその実施の形態を示す図面に基づいて具体的に説明する。
【００３５】
図１は、３Ｄ眼鏡と表示装置とからなる表示システムの一構成例を示した模式図である。実施の形態に係る表示システムは、右目用及び左目用の映像を表示する表示装置１と、表示装置１に表示された右目用及び左目用の映像夫々を選択的に透過させる右目用シャッタ２４及び左目用シャッタ２５を有する３Ｄ眼鏡２と、を備える。表示装置１は、本発明に係る表示装置の一例である。
【００３６】
図２は、表示装置１の一構成例を示したブロック図である。表示装置１は制御部１０、映像入力部１１、チューナ部１２、ＡＶスイッチ１３、信号処理部１４、表示部１５、スピーカ１６、同期信号送信部１７、及びＣＡＳカード挿入部１８を備える。
【００３７】
制御部１０は、ＣＰＵ、ＲＯＭ、ＲＡＭなどを備えたマイクロコンピュータからなり、表示装置１の各構成部に制御信号を与えて該構成部の動作を制御する。
【００３８】
映像入力部１１は、図示しない各種外部機器から出力された３Ｄの映像信号及び音声信号が入力される入力インタフェースであり、入力された映像信号及び音声信号をＡＶスイッチ１３へ与える。外部機器は、例えば、衛星放送チューナ、ケーブルテレビチューナ、ＩＰ放送チューナなどのチューナ、ＢＤレコーダ、ＨＤＤレコーダなどの映像再生装置などで構成されている。３Ｄの映像信号は、例えば、サイド・バイ・サイド（ｓｉｄｅ ｂｙ ｓｉｄｅ）方式で伝送される。サイド・バイ・サイド方式とは、右目用映像の１フレームと、左目用映像の１フレームとを夫々水平方向に１／２（２分の１）に圧縮し、各フレームを横に並べて１枚のフレームとして送信する伝送方式を言う。右目用映像及び左目用映像を並べた１枚のフレームは、２Ｄ映像と同様の方式で伝送することができるため、既存のインフラを利用することができる。なお、その他の伝送方式、例えば右目用映像の１フレームと、左目用映像の１フレームとを各別に送信する伝送方式で受信した３Ｄ映像についても本発明を適用することができることは言うまでも無い。
【００３９】
チューナ部１２は、アンテナＡで受信した放送信号を増幅して特定チャンネルの信号を選択する。選択した信号は、直交周波数分割多重方式（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：ＯＦＤＭ）で変調されている。チューナ部１２は、図示しない復調部を備えており、選択された特定チャンネルの信号を、ＭＰＥＧ２トランスポートストリーム（ＴＳ）形式のデータに復調し、復調したデータをＡＶスイッチ１３に与える。ＴＳ形式のデータは、複数のパケットから構成されている。パケットは、番組を構成する３Ｄの映像信号及び音声信号などをパケット化したものであり、複数のパケットから、時系列順の映像信号及び音声信号が復元される。チューナ部１２は、本発明に係る受信部として機能する。また、このチューナ部１２により、表示装置１は、本発明に係るテレビジョン受信機としても機能する。
【００４０】
ＡＶスイッチ１３は、制御部１０が行う後述の制御に従って、映像入力部１１から与えられた映像信号及び音声信号、又はチューナ部１２から与えられたストリームデータのいずれかを選択し、選択された映像信号及び音声信号又はストリームデータを信号処理部１４へ出力する。
【００４１】
信号処理部１４は、映像入力部１１から出力された映像信号及び音声信号が与えられた場合、サイド・バイ・サイド方式の１フレーム映像中、右半分の映像を水平方向に伸張させた右目用映像と、左半分の映像を水平方向に伸張させて左目用映像を生成し、右目用映像及び左目用映像をフレームシーケンシャル方式で表示部１５に表示させる。また、音声信号をスピーカ１６に与えることによって、音声を外部出力する。
【００４２】
信号処理部１４は、ストリームデータが与えられた場合、該ストリームデータを映像及び音声のデータに分離し、ＭＰＥＧ２の圧縮伸張方式に従って復調することによって、元の映像信号及び音声信号を生成する。そして、信号処理部１４は、生成された映像信号に対して、上述と同様の処理で、右目用映像及び左目用映像をフレームシーケンシャル方式で表示部１５に表示させる。
【００４３】
信号処理部１４は、右目用及び左目用の映像が表示されるタイミングを示す同期信号を同期信号送信部１７に与える。この同期信号は、同期信号送信部１７を介して受信した３Ｄ眼鏡２のシャッタ開閉を同期させるための信号となる。
【００４４】
表示部１５は、例えば、液晶パネル、プラズマディスプレイパネル、有機ＥＬパネルなどで構成されており、信号処理部１４から与えられた映像信号に基づいて、映像を表示する。
【００４５】
スピーカ１６は、電気信号を物理振動に変えて音を生み出すものであり、信号処理部１４から与えられた音声信号に基づいて、音声を出力する。
【００４６】
同期信号送信部１７は、いわゆるＩＲエミッタ回路を用いて構成してあり、信号処理部１４から与えられた同期信号を無線にて３Ｄ眼鏡２へ送信する。なお、同期信号送信部１７は、図１に示すように矩形枠状の前キャビネットの中央下部に設けてあるが、特にこれに限定されるものでは無い。同期信号送信部１７のより詳細な構成については後述する。
【００４７】
ＣＡＳカード挿入部１８は、挿入されたＣＡＳカードの情報を読み取り、読み取った情報を制御部１０に与える。ＣＡＳカード挿入部１８は、本発明に係る挿入部として機能する。
【００４８】
ＣＡＳカードとは、暗号化技術により契約者以外の視聴を防止するためのカードであり、日本における地上波・ＢＳ・１１０度ＣＳ放送のコンテンツ管理に用いるＢ―ＣＡＳカード、日本におけるデジタルケーブルテレビ放送のコンテンツ管理に用いるＣ―ＣＡＳカードなど、複数種のＣＡＳカードが知られている。適切なＣＡＳカードがＣＡＳカード挿入部１８に挿入されていない場合には、所望のコンテンツを視聴できない。
【００４９】
表示装置を設置する環境に応じてもまた、複数種のＣＡＳカードが知られている。例えば、一般家庭に設置してある表示装置で使用する家庭用ＣＡＳカードと量販店に展示用として設置してある表示装置で使用する展示用ＣＡＳカードとが知られている。家庭用ＣＡＳカードが挿入されるか展示用ＣＡＳカードが挿入されるかによって、表示装置の動作が異なる。たとえば、家庭用ＣＡＳカードを挿入した場合には、所定のコンテンツ視聴に対する料金支払いを促す画面が表示され得るが、展示用ＣＡＳカードを挿入した場合には、そのような料金支払いを促す画面が表示されない。
【００５０】
量販店だけでなく、技術発表会場、デモ展示会場、ショー会場などでも、展示用ＣＡＳカードが使用され得る。したがって、展示用ＣＡＳカードが挿入された表示装置の近傍には、３Ｄ映像提供可能な他の表示装置が存在する可能性が高い。一方、家庭用ＣＡＳカードを挿入した場合には、３Ｄ映像提供可能な他の表示装置が近傍に存在する可能性が低い。
【００５１】
本実施の形態では、挿入されるＣＡＳカードから読み取られる情報の相違に基づき、表示装置の設置環境を判断する。別途、同期信号以外の設置信号を送信する設置信号送信部および他の表示装置が送信した設置信号を受信する設置信号受信部を設けて、設置信号の送受信に基づき設置環境を判断する構成とすることも可能である。また、グローバルポジショニングシステム（ＧＰＳ）を導入し、ＧＰＳで示される位置情報に基づいて設置環境を判断する構成とすることも可能である。たとえば、ＧＰＳで示される位置情報が量販店を示すか、展示会場を示すか、一般民家を示すかなどの判断をすることも可能である。
【００５２】
ＣＡＳカード挿入部１８から与えられた情報に基づき、制御部１０は、表示装置の設置環境を判断する。たとえば、展示用ＣＡＳカードが挿入された場合には、３Ｄ映像提供可能な他の表示装置が存在すると判断し、同期信号送信部１７による同期信号の送信を制限する。また、家庭用ＣＡＳカードが挿入された場合には、３Ｄ映像提供可能な他の表示装置が存在しないと判断し、同期信号送信部１７による同期信号の送信を制限しない。制御部１０は、本発明に係る判別部として機能する。また、制御部１０は、本発明に係る送信範囲制限部として機能する。ＣＡＳカード以外のカードの情報に基づいて設置環境を判断する構成とすることも可能である。制御部１０による制限の内容については後述する。
【００５３】
図３は、３Ｄ眼鏡２の一構成例を示したブロック図である。３Ｄ眼鏡２は、３Ｄ眼鏡制御部２０、発振回路２１、同期信号受信部２２、シャッタ駆動部２３、右目用シャッタ２４、及び左目用シャッタ２５を備える。
【００５４】
発振回路２１は、３Ｄ眼鏡制御部２０を動作させると共に、右目用シャッタ２４及び左目用シャッタ２５を開閉させる基準となるクロックを生成し、生成したクロックを３Ｄ眼鏡制御部２０へ出力する回路である。
【００５５】
同期信号受信部２２は、例えば、フォトダイオードを備え、表示部１５に表示される右目用の映像と、左目の映像とに同期して、右目用シャッタ２４及び左目用シャッタ２５を開閉させるべく、表示装置１から送信された同期信号を受信し、受信した同期信号を３Ｄ眼鏡制御部２０へ与える。
【００５６】
３Ｄ眼鏡制御部２０は、同期信号受信部２２から出力された同期信号によって同期し、右目用シャッタ２４及び左目用シャッタ２５を交互に開閉させるシャッタ制御信号夫々をシャッタ駆動部２３に与える。右目用のシャッタ制御信号は、例えば、周波数が１２０Ｈｚ、デューティ比５０％の矩形波信号であり、左目用シャッタ２５のシャッタ制御信号は、右目用のシャッタ制御信号の位相を反転、つまり、位相を１８０度ずらした信号である。
【００５７】
シャッタ駆動部２３は、３Ｄ眼鏡制御部２０から与えられたシャッタ制御信号に基づいて、右目用シャッタ２４及び左目用シャッタ２５に駆動電力を与える。
【００５８】
右目用シャッタ２４及び左目用シャッタ２５は、例えば液晶シャッタであり、シャッタ駆動部２３から与えられた駆動電力に応じて、交互に開閉する。具体的には、表示部１５に右目用の映像が表示されている場合、左目用シャッタ２５が閉鎖し、右目用シャッタ２４のみが開いて、右目用の映像を透過させる。同様に、表示部１５に左目用の映像が表示されている場合、右目用シャッタ２４が閉鎖し、左目用シャッタ２５が開いて、左目用の映像を透過させる。このようにして、ユーザの右目には、右目用の映像が、左目には左目の映像が映る。その結果、ユーザに３Ｄの映像を提供することが可能となる。
【００５９】
図４は、設置環境判断に係る処理手順を示したフローチャートである。ＣＡＳカード挿入部１８は、挿入されたＣＡＳカードの情報を読み取り（ステップＳ１１）、読み取った情報を制御部１０に与える（ステップＳ１２）。制御部１０は、与えられた情報に基づき、表示装置の設置環境が第１環境であるか第２環境であるかといった判断を行う（ステップＳ１３）。たとえば、与えられた情報が展示用ＣＡＳカードの挿入を示している場合には、３Ｄ映像提供可能な他の表示装置が近傍に存在する可能性の高い第１環境であると判断する。与えられた情報が家庭用ＣＡＳカードの挿入を示している場合には、３Ｄ映像提供可能な他の表示装置が近傍に存在する可能性の低い第２環境であると判断する。第１環境であると判断した場合（ステップＳ１３：ＹＥＳ）、制御部１０は同期信号送信部１７の送信を制限し（ステップＳ１４）、設置環境判断に係る処理を終了する。第１環境であると判断しなかった場合、例えば第２環境であると判断した場合（ステップＳ１３：ＮＯ）、制御部１０は同期信号送信部１７の送信を制限することなく、設置環境判断に係る処理を終了する。予め同期信号送信部１７の送信が制限された状態としておき、第２環境であると判断した場合に制限を外すような構成も可能である。また、第２環境であると判断した場合に、同期信号送信部１７の送信を増加させる構成も可能である。    
【００６０】
図５は、制御部１０による同期信号送信の制限を示す模式図であり、ステップＳ１３で第１環境であると判断した場合に同期信号送信の送信が制限される態様を示している。ＩＲ信号を送信するＬＥＤ１７ａで同期信号送信部１７が構成されている場合について説明してあり、図中の波線は、ＬＥＤ１７ａから送信される同期信号（ＩＲ信号）の送信範囲を示している。  
【００６１】
ステップＳ１３で第１環境であると判断した場合、制御部１０は、ＬＥＤ１７ａに供給する電力量を規定量から減少させる。これにより、ＬＥＤ１７ａから送信されるＩＲ信号の強度が規定強度から減少し、送信範囲（前方および左右方向の範囲）が規定範囲より狭くなる。一方、ステップＳ１３で第２環境であると判断した場合、制御部１０は、ＬＥＤ１７ａに規定量の電力量を供給する。これにより、ＬＥＤ１７ａから規定強度のＩＲ信号が送信され、規定範囲全域で３Ｄ眼鏡２による受信が可能となる。表示装置の前方および左右方向に他の表示装置を近設してあるような環境に対して効果的である。
【００６２】
図６は、制御部１０による制限の他の構成例を示す模式図であり、ステップＳ１３で第１環境であると判断した場合に同期信号送信の送信が制限される態様を示している。左右に並設された複数のＬＥＤ１７ｂ、１７ｃ、１７ｄで同期信号送信部１７が構成されている場合について説明してあり、図中の波線は、ＬＥＤ１７ｂ、１７ｃ、１７ｄから送信される同期信号の送信範囲を示している。ＬＥＤ１７ｂ、１７ｃ、１７ｄは、本発明に係る複数の発光体として機能する。
【００６３】
ステップＳ１３で第１環境であると判断した場合、制御部１０は、同期信号送信部１７にある全てのＬＥＤには電力を供給しない。例えば、左右両端のＬＥＤ１７ｂ、１７ｄには電力を供給せずに、中央のＬＥＤ１７ｃにのみ電力を供給する。これにより、同期信号を送信するＬＥＤの数が規定数から減少し、送信範囲（主に、前後方向ではなく左右方向の送信範囲）が規定範囲より狭くなる。一方、ステップＳ１３で第２環境であると判断した場合、制御部１０は、同期信号送信部１７にある全てのＬＥＤに電力を供給する。これにより、規定数のＬＥＤから同期信号が送信され、規定範囲全域で３Ｄ眼鏡２による受信が可能となる。表示装置の左右方向に他の表示装置を近設してあるが、表示装置の前方に他の表示装置を近設していないような環境に対して効果的である。
【００６４】
図７は、制御部１０による制限の他の構成例を示す模式図であり、ステップＳ１３で第１環境であると判断した場合に同期信号送信の送信が制限される態様を示している。左右方向に複数のＬＥＤ１７ｂ、１７ｃ、１７ｄを併設してある同期信号送信部１７の前方に液晶フィルタ１７ｅが配置してある場合について説明してあり、図中の波線は、ＬＥＤ１７ｂ、１７ｃ、１７ｄから送信される同期信号の送信範囲を示している。
【００６５】
液晶フィルタ１７ｅは、右目用シャッタ２４及び左目用シャッタ２５に用いた液晶フィルタと同様のものであり、電気的な操作により透過率が変化する。液晶フィルタ１７ｅは、透過率が変化する本発明に係るフィルタとして機能する。
【００６６】
ステップＳ１３で第１環境であると判断した場合、制御部１０は液晶フィルタ１７ｅに制御信号を与えて液晶フィルタ１７ｅの透過率を規定値よりも減少させる。これにより、ＬＥＤ１７ｂ、１７ｃ、１７ｄから送信される同期信号の強度には変化がみられないが、液晶フィルタ１７ｅを通過する同期信号の強度が規定強度から減少し、送信範囲（前方および左右方向の範囲）が規定範囲より狭くなる。一方、ステップＳ１３で第２環境であると判断した場合、制御部１０は液晶フィルタ１７ｅに制御信号を与えて液晶フィルタ１７ｅの透過率を規定値とする。これにより、規定強度の同期信号が液晶フィルタ１７ｅを通過し、規定範囲全域で３Ｄ眼鏡２による受信が可能となる。表示装置の前方および左右方向に他の表示装置を近設してあるような環境に対して効果的である。
【００６７】
図８は、制御部１０による制限の他の構成例を示す模式図であり、ステップＳ１３で第１環境であると判断した場合に同期信号送信の送信が制限される態様を示している。左右方向に複数のＬＥＤ１７ｂ、１７ｃ、１７ｄを併設してある同期信号送信部１７の前方に窓開口機構１７ｇが配置してある場合について説明してあり、図中の波線は、ＬＥＤ１７ｂ、１７ｃ、１７ｄから送信される同期信号の送信範囲を示している。
【００６８】
窓開口機構１７ｇは、同期信号送信部１７を覆う筺体１７ｆとＬＥＤ１７ｂ、１７ｃ、１７ｄとの間に配置してある。従来のカメラの絞りのような構造であり、電気的操作により付属のモータが駆動し、開口部の面積が変化する。窓開口機構１７ｇは、本発明に係る窓部として機能する。
【００６９】
ステップＳ１３で第１環境であると判断した場合、制御部１０は窓開口機構１７ｇに制御信号を与えて窓開口機構１７ｇの開口面積を規定値よりも減少させる。これにより、窓開口機構１７ｇを通過する同期信号の左右方向への広がりが規定の広がりから減少し、送信範囲（主に、前後方向ではなく左右方向の送信範囲）が規定範囲より狭くなる。一方、ステップＳ１３で第２環境であると判断した場合、制御部１０は、窓開口機構１７ｇが規定値の開口面積を有するように制御する。これにより、規定の広がりをもつ同期信号が窓開口機構１７ｇを介して送信され、規定範囲全域での３Ｄ眼鏡２による受信が可能となる。表示装置の左右方向に他の表示装置を近設してあるが、表示装置の前方に他の表示装置を近設していないような環境に対して効果的である。
【００７０】
図９は、制御部１０による制限の他の構成例を示す模式図であり、ステップＳ１３で第１環境であると判断した場合に同期信号送信の送信が制限される態様（パターン１及びパターン２）を示している。垂直方向に複数のＬＥＤ１７ｈ、１７ｉを併設して同期信号送信部１７が構成してある場合について説明してあり、図中の波線は、ＬＥＤ１７ｈ、１７ｉから送信される同期信号の送信範囲を示している。
【００７１】
同期信号送信部１７は、上下に併設してある広範囲ＬＥＤ１７ｈと狭範囲ＬＥＤ１７ｉとで構成してある。広範囲ＬＥＤ１７ｈと狭範囲ＬＥＤ１７ｉとを比較した場合、前方への同期信号送信範囲は広範囲ＬＥＤ１７ｈよりも狭範囲ＬＥＤ１７ｉが広くなっている。一方、左右方向への同期信号送信範囲は狭範囲ＬＥＤ１７ｉよりも広範囲ＬＥＤ１７ｈが広くなっている。光や音などの波動を発信する場合、発信エネルギが同じであっても、発信元で波動の左右拡散を抑えた場合には左右への到達距離が短くなるが前方への到達距離が長くなり、左右拡散を抑えない場合には左右への到達距離が長くなるが前方への到達距離が短くなる、という相違に基づくものである。広範囲ＬＥＤ１７ｈは、本発明に係る広範囲発光体として機能する。狭範囲ＬＥＤ１７ｉは、本発明に係る狭範囲発光体として機能する。
【００７２】
ステップＳ１３で第１環境であると判断した場合、制御部１０は、同期信号送信部１７にある全てのＬＥＤ１７ｈ、１７ｉには電力を供給しない。つまり、広範囲ＬＥＤ１７ｈまたは狭範囲ＬＥＤ１７ｉの一方には電力を供給しない。広範囲ＬＥＤ１７ｈに電力を供給しない場合（図９のパターン１）、前方向の同期信号送信範囲は規定範囲から変化しないが、左右方向の同期信号送信範囲が規定範囲より狭くなる。また、狭範囲ＬＥＤ１７ｉに電力を供給しない場合（図９のパターン２）、左右方向の同期信号送信範囲は規定範囲から変化しないが、前方向の同期信号送信範囲が規定範囲より狭くなる。一方、ステップＳ１３で第２環境であると判断した場合、制御部１０は、広範囲ＬＥＤ１７ｈおよび狭範囲ＬＥＤ１７ｉに電力を供給する。これにより、規定範囲全域での３Ｄ眼鏡２による受信が可能となる。表示装置の左右方向に他の表示装置を近設してあるか否かだけでなく、表示装置の前方に他の表示装置を近設してあるか否かに対しても、設置環境に応じた送信範囲の効果的な変更が一台の表示装置で期待できる。第１環境であると判断した場合、一方のＬＥＤへの電力供給を完全に停止するだけでなく、減少させる構成も利用可能である。
【００７３】
図１０は、制御部１０による制限の他の構成例を示す模式図であり、ステップＳ１３で第１環境であると判断した場合に同期信号送信の送信が制限される態様（パターン３及びパターン４）を示している。左右方向に複数のＬＥＤ１７ｊ、１７ｋ、１７ｌを併設して同期信号送信部１７が構成してある場合について説明してあり、図中の波線は、ＬＥＤ１７ｊ、１７ｋ、１７ｌから送信される同期信号の送信範囲を示している。
【００７４】
同期信号送信部１７は、左に配置した広範囲ＬＥＤ１７ｊと、右に配置した広範囲ＬＥＤ１７ｌと、２つの広範囲ＬＥＤの間に配置した狭範囲ＬＥＤ１７ｋとで構成してある。広範囲ＬＥＤ１７ｊ、１７ｌと狭範囲ＬＥＤ１７ｋとを比較した場合、前方への同期信号送信範囲は広範囲ＬＥＤ１７ｊ、１７ｌよりも狭範囲ＬＥＤ１７ｋが広くなっている。一方、左右方向への同期信号送信範囲は狭範囲ＬＥＤ１７ｋよりも広範囲ＬＥＤ１７ｊ、１７ｌが広くなっている。広範囲ＬＥＤ１７ｊ、１７ｌは、本発明に係る広範囲発光体として機能する。狭範囲ＬＥＤ１７ｋは、本発明に係る狭範囲発光体として機能する。
【００７５】
ステップＳ１３で第１環境であると判断した場合、制御部１０は、同期信号送信部１７にある全てのＬＥＤ１７ｊ、１７ｋ、１７ｌには電力を供給しない。つまり、左右の広範囲ＬＥＤ１７ｊ、１７ｌまたは狭範囲ＬＥＤ１７ｋの一方には電力を供給しない。左右の広範囲ＬＥＤ１７ｊ、１７ｌに電力を供給しない場合（図１０のパターン３）、前方向の同期信号送信範囲は規定範囲から変化しないが、左右方向の同期信号送信範囲が規定範囲より狭くなる。また、狭範囲ＬＥＤ１７ｋに電力を供給しない場合（図１０のパターン４）、左右方向の同期信号送信範囲は規定範囲から変化しないが、前方向の同期信号送信範囲が規定範囲より狭くなる。一方、ステップＳ１３で第２環境であると判断した場合、制御部１０は、左右の広範囲ＬＥＤ１７ｊ、１７ｌおよび狭範囲ＬＥＤ１７ｋに電力を供給する。これにより、規定範囲全域での３Ｄ眼鏡２による受信が可能となる。表示装置の左右方向に他の表示装置を近設してあるか否かだけでなく、表示装置の前方に他の表示装置を近設してあるか否かに対しても、設置環境に応じた送信範囲の効果的な変更が一台の表示装置で期待できる。またこの配置を用いることにより、少ないＬＥＤにもかかわらず、同期信号送信範囲の変化量を大きくすることができる。
【００７６】
今回開示された実施の形態はすべての点で例示であって、制限的なものでは無いと考えられるべきである。上で例示した送信範囲制限に関する複数の構成は、他の構成例と組み合わせて利用することも可能である。本発明の範囲は、上で例示した内容だけ無く、特許請求の範囲によって示され、特許請求の範囲と均等の意味及び範囲内でのすべての変更が含まれることが意図される。
【符号の説明】
【００７７】
１   表示装置
２   ３Ｄ眼鏡
１０  制御部
１１ 映像入力部
１２ チューナ部
１３ ＡＶスイッチ
１４ 信号処理部
１５ 表示部
１６ スピーカ
１７ 同期信号送信部
１７ａ−ｄ  ＬＥＤ
１７ｅ  液晶フィルタ
１７ｆ  筺体
１７ｇ  窓開口機構
１７ｈ−ｌ  ＬＥＤ
１８  ＣＡＳカード挿入部
２０ ３Ｄ眼鏡制御部
２１ 発振回路
２２ 同期信号受信部
２３ シャッタ駆動部
２４ 右目用シャッタ
２５ 左目用シャッタ
【図１】
2013191994.tif 000003
【図２】
2013191994.tif 000004
【図３】
2013191994.tif 000005
【図４】
2013191994.tif 000006
【図５】
2013191994.tif 000007
【図６】
2013191994.tif 000008
【図７】
2013191994.tif 000009
【図８】
2013191994.tif 000010
【図９】
2013191994.tif 000011
【図１０】
2013191994.tif 000012